(57)【要約】【課題】簡単な構成でヘッドアップ機能を備えることができるベッド装置を提供する。【解決手段】ベッドフレームに一端部が回動可能に設けられ下面側には幅方向と交差する長手方向に沿ってガイドレール３５が設けられた背床部１７と、背床部の他端部に中途部が回動可能に設けられたヘッドアップ部４３と、ベッドフレームに背床部の一端部と異なる位置を回転中心として軸線をベッドフレームの幅方向に沿わせて配置された背用駆動軸２６と、背用駆動軸を駆動する背用駆動部２４と、ガイドレールに係合する背上げローラ３４を有して一端部が背用駆動軸に取付けられ、背用駆動部が作動して背用駆動軸とともに回転駆動されることで背上げローラを介して背床部を連動させる背上げアーム３３と、背上げアームの他端部に設けられヘッドアップ部の一端部が当接してヘッドアップ部の他端部を背床部の上面側に突出するよう傾斜させる作動部材３８を具備する。【選択図】  図３
2020141792.tif 000002
【特許請求の範囲】
【請求項１】
ベッドフレームと、
前記ベッドフレームに一端部が回動可能に設けられ下面側には幅方向と交差する長手方向に沿ってガイド部が設けられた背床部と、
前記背床部の他端部に中途部が回動可能に設けられたヘッドアップ部と、
前記ベッドフレームに、前記背床部の一端部と異なる位置を回転中心として軸線を前記ベッドフレームの幅方向に沿わせて配置された駆動軸と、
前記駆動軸を駆動する駆動手段と、
前記ガイド部に係合する係合部材を有して一端部が前記駆動軸に取付けられ、前記駆動手段が作動して前記駆動軸とともに回転駆動されることで前記係合部材を介して前記背床部を連動させる背上げアームと、
前記背上げアームの他端部に設けられ前記ヘッドアップ部の一端部が当接して前記ヘッドアップ部の他端部を前記背床部の上面側に突出するよう傾斜させる作動部材と
を具備したことを特徴とするベッド装置。
【請求項２】
前記駆動手段によって前記背上げアームを駆動して前記背床部を起伏駆動したとき、前記背床部と前記背上げアームとのそれぞれの一端部の回転中心位置の違いによって、前記作動部材が前記背上げアームと一体的に前記ガイド部の長手方向に沿って移動することで、前記作動部材が前記ヘッドアップ部を傾斜させて保持することを特徴とする請求項１記載のベッド装置。
【請求項３】
前記ヘッドアップ部の一方の端部には、前記作動部材に当接する作動位置と、当接しない非作動位置とに位置決め可能な伝動部材が設けられ、
前記伝動部材を前記作動位置に位置決めして前記作動部材に当接させることで、前記ヘッドアップ部をその他端部が前記背上げ部の前面側に突出する傾斜状態で保持でき、
前記伝動部材を前記非作動位置に位置決めすることで、前記ヘッドアップ部を他方の端部が前記背床部の上面側に突出しない状態で保持できる構成であることを特徴とする請求項１又は請求項２記載のベッド装置。
【請求項４】
前記背床部には、前記ヘッドアップ部の他方の端部が前記背床部の上面側へ突出しないよう、前記ヘッドアップ部を回転方向に付勢する付勢手段が設けられ、
前記伝動部材が前記作動位置に位置決めされて前記作動部材に当接すると、前記ヘッドアップ部は他方の端部が前記付勢手段の付勢力に抗して前記背床部の上面側に突出するよう傾斜し、
前記伝動部材が前記非作動位置に位置決めされると、前記ヘッドアップ部は他方の端部が前記付勢手段の付勢力によって前記背床部の上面側に突出しない状態に戻ることを特徴とする請求項３記載のベッド装置。
【請求項５】
前記ベッドフレームには、このベッドフレームに固定された固定床部が設けられ、この固定床部の一端には、腰床部の一端が回動可能に連結され、前記腰床部の他端に前記背床部の一端が回動可能に連結されていて、
前記背上げアームの一端は、前記固定床部の一端から前記腰床部側に配置された前記駆動軸に連結されていて、
前記腰床部の前記固定床部に連結された一端と、前記背上げアームの前記駆動軸に連結された一端との位置のずれによって、前記背上げアームを起上方向に回動させたとき、前記背上げアームに設けられた前記係合部材が前記ガイド部に沿って前記背床部の下面を長手方向の下方向に沿って移動することを特徴とする請求項１記載のベッド装置。
【発明の詳細な説明】
【技術分野】
【０００１】
この発明は利用者が頭部を起こした状態の姿勢を維持することができる背上げ式のベッド装置に関する。
【背景技術】
【０００２】
背上げ式のベッド装置は、ベッドフレームに設けられる床板体が背床部、腰床部、脚床部などの複数の部分に分割され、これらが互いに回動可能に連結されて構成される。前記背床部は利用者の上半身に対応位置するようになっている。そして、前記背床部は背上げ機構によって起伏駆動できるようになっていて、起状方向に駆動することで、利用者は上半身を起こした姿勢を楽にとることができる。
【０００３】
上述した背上げ式のベッド装置において、前記背床部を起上させて利用者が上半身を起こされたとき、頭部が前記背床部に寄り掛けた状態にあるよりも、所定角度前方に倒した状態で保持されるようにした方が好ましいことがある。
【０００４】
たとえば、読書やテレビを見る場合などには頭部が前記背床部よりも前方に傾斜していた方が楽なことがあり、また食事などの場合には口内に入れた食物が飲み込み易くなるため、嚥下障害が生じにくいなどのことがある。
【０００５】
そこで、従来は特許文献１に示す構成のベッド装置が知られている。すなわち、従来のベッド装置は、ベッドフレームにモータによって上下方向に回動駆動される杆体が設けられている。前記ベッドフレームには背部支持フレーム（背床部）が一端を支点として回動可能に設けられている。
【０００６】
前記背部支持フレームの先端部には頭部支持フレーム（ヘッドアップ部）が起伏自在に枢着されている。前記杆体の先端部は支持アームを介して前記頭部支持フレームに連結されている。
【０００７】
前記杆体が前記モータによって駆動されると、前記頭部支持フレームが前記支持アームを介して起伏駆動される。そして、前記頭部支持フレームの起伏動作に連動して前記背部支持フレームを起伏させるようにしている。
【０００８】
そして、前記杆体が前記モータによって起伏駆動されたとき、その駆動がリンク部材、中間リンク片、基端リンク片などによって構成されたリンク機構を介して前記背部支持フレームに伝達されることで、前記背部支持フレームが起伏駆動される構成となっている。
【先行技術文献】
【特許文献】
【０００９】
【特許文献１】特開２００９−２４７６２８号公報
【発明の概要】
【発明が解決しようとする課題】
【００１０】
上述した構成のベッド装置によれば、確かに前記背部支持フレームに前記頭部支持フレームを起伏自在に設け、前記頭部支持フレームを前記背部支持フレームとともに起伏動作させることができる構成が示されている。
【００１１】
しかしながら、前記モータによって前記杆体を駆動し、前記杆体に連結された前記支持アームによって前記頭部支持フレームが駆動されたとき、前記背部支持フレームは、前記リンク部材、前記中間リンク片、前記基端リンク片などによって構成されたリンク機構を介して駆動されるようになっている。
【００１２】
つまり、前記頭部支持フレームと前記背部支持フレームとを駆動するためには、モータによって駆動される前記杆体の他に、前記リンク部材、前記中間リンク片、前記基端リンク片などによって構成されたリンク機構を必要とする構成になっている。
【００１３】
そのため、このようなベッド装置は、部品点数の増大や、部品点数の増大による構成の複雑化などを招くということがある。
【００１４】
この発明は、複雑なリンク機構を用いることなく前記背床部とともにヘッドアップ部を駆動することができようにしたベッド装置を提供することにある。
【課題を解決するための手段】
【００１５】
この発明は、ベッドフレームと、
前記ベッドフレームに一端部が回動可能に設けられ下面側には幅方向と交差する長手方向に沿ってガイド部が設けられた背床部と、
前記背床部の他端部に中途部が回動可能に設けられたヘッドアップ部と、
前記ベッドフレームに、前記背床部の一端部と異なる位置を回転中心として軸線を前記ベッドフレームの幅方向に沿わせて配置された駆動軸と、
前記駆動軸を駆動する駆動手段と、
前記ガイド部に係合する係合部材を有して一端部が前記駆動軸に取付けられ、前記駆動手段が作動して前記駆動軸とともに回転駆動されることで前記係合部材を介して前記背床部を連動させる背上げアームと、
前記背上げアームの他端部に設けられ前記ヘッドアップ部の一端部が当接して前記ヘッドアップ部の他端部を前記背床部の上面側に突出するよう傾斜させる作動部材と
を具備したことを特徴とするベッド装置にある。
【発明の効果】
【００１６】
この発明によれば、背上げアームを起上方向に駆動すれば、その動作に背床部を連動させて起上させることができ、それと同時に前記背上げアームに設けられた作動部材によってヘッドアップ部を傾斜させることができる。
【００１７】
そのため、前記背上げアームを起伏駆動することで、前記背床部と前記ヘッドアップ部を作動させることができるから、簡単な構成で前記背上げアームと前記ヘッドアップ部との２つを駆動することが可能となる。
【図面の簡単な説明】
【００１８】
【図１】この発明の一実施の形態のベッド装置の背床部と第１、第２の脚床部を駆動した状態を示す側面図。
【図２】前記ベッド装置の平面図。
【図３】前記背床部が水平に倒伏したときと、所定角度で起上させたときの、前記背床部の背面に設けられたガイドレールに対する背上げアームの動きを示す図。
【図４】（ａ）は背上げローラを有する一対の背上げアームが組み立てられた状態の平面図、（ｂ）は同じく側面図。
【図５】（ａ）は背床部のヘッドアップ部が設けられた上端部の平面図、（ｂ）は同じく図５（ａ）の側断面図。
【図６】図６（ａ）は一対の伝動部材を作動位置に保持した状態を示す前記ヘッドアップ部の平面図、（ｂ）は同じく側面図。
【図７】図７（ａ）は一対の伝動部材を非作動位置に保持した状態を示す前記ヘッドアップ部の平面図、（ｂ）は同じく側面図。
【図８】前記ヘッドアップ部を倒伏方向に弾性的に付勢して保持する付勢手段が設けられた部分の拡大図。
【発明を実施するための形態】
【００１９】
以下、この発明の一実施の形態を図面を参照しながら説明する。  
【００２０】
図１はベッド装置の側面図、図２は一部破断した平面図である。前記ベッド装置はベッドフレーム１を備えている。このベッドフレーム１は図２に示すように所定間隔で平行に離間して配置された一対の縦杆２と、これら縦杆２の長手方向の一端と他端とに両端を連結して設けられた一対の横杆３とによって矩形枠状に形成されている。
【００２１】
前記ベッドフレーム１の四隅部の下面にはそれぞれ脚部材４が設けられている。それによって前記ベッドフレーム１は所定の高さで支持される。前記ベッドフレーム１の両側の長手方向の中途部の外面には、前記縦杆２に対して所定間隔で離間した一対の固定杆部材６がそれぞれ設けられている。
【００２２】
前記固定杆部材６の長手方向の両側には、長手方向の両端にそれぞれリンク７の一端が枢着された各一対の可動杆部材８が配置されている。前記リンク７の他端は前記縦杆２に枢着されている。それによって、各可動杆部材８は前記ベッドフレーム１の前記縦杆２に対して接離する方向に移動可能となっている。
【００２３】
前記可動杆部材８を前記縦杆２に接近する方向に移動させると、各一対の前記可動杆部材８は前記固定杆部材６と一直線に並ぶようになっている。
【００２４】
前記可動杆部材８の上面の長手方向の両端部にはそれぞれ上面に開口した一対の取付け孔９が穿設されている。各一対の取付け孔９には図示しない側柵に設けられた脚部が着脱可能に挿入支持される。つまり、前記側柵は前記可動杆部材８に着脱可能に取付けることができるようになっている。
【００２５】
前記ベッドフレーム１には床板体１１が設けられている。この床板体１１は複数の床部に分割されていて、前記ベッドフレーム１の長手方向の中途部に幅方向に沿って配置され、前記ベッドフレーム１に固定された固定床部１２を有する。
【００２６】
前記固定床部１２の、前記ベッドフレーム１の幅方向と交差する方向（この方向を前記床板体１１の長手方向とする。）の一側には第１の脚床部１３と第２の脚床部１４とが順次回動可能に連結されている。前記固定床部１２の長手方向の他側には腰床部１６と背床部１７とが順次回動可能に連結されている。
【００２７】
前記床板体１１の上面には図１に鎖線で示すようにマットレスＭが前記床板体１１の上面に、この上面からずれ落ちない状態で載置される。前記マットレスＭは前記背床部１７を後述するように起状方向に駆動したとき、その起状（背上げ）に応じて屈曲し易く、しかも前記床板体１１の硬さが伝わることのない、比較的硬めの弾性材料などによって構成されている。
【００２８】
図１と図２に示すように、前記床板体１１の下面側で、前記ベッドフレーム１長手方向の中途部には、前記床板体１１を起伏駆動するための駆動装置２１が配置されている。前記駆動装置２１は制御部２２を有する。この制御部２２の一端部にはリニアモータからなる脚用駆動部２３が設けられ、他端部には同じくリニアモータからなる駆動手段としての背用駆動部２４が設けられている。
【００２９】
図２に示すように、前記第１の脚床部１３の下面側には脚用駆動軸２５が軸線を前記ベッドフレーム１の幅方向に沿わせて配置され、前記腰床部１６の下面側には駆動軸としての背用駆動軸２６が軸線を前記脚用駆動軸２５と平行にして配置されている。
【００３０】
前記床板体１１の下面側で、前記ベッドフレーム１の長手方向の中途部には、幅方向に対して所定間隔で離間した帯板状の一対の取付け部材２７が前記ベッドフレーム１に固定して設けられている。前記脚用駆動軸２５と前記背用駆動軸２６の軸方向の一端部と他端部は、一対の前記取付け部材２７の一端部と他端部にそれぞれ回転可能に支持されている。
【００３１】
前記脚用駆動軸２５の中途部は前記脚用駆動部２３に挿通され、前記背用駆動軸２６の中途部は前記背用駆動部２４に挿通されている。各前記駆動軸２５，２６の各前記駆動部２３，２４に挿通された部分には、図１に示すようにそれぞれＬ字状の駆動レバー２８の基端が取付けられている。
【００３２】
そして、リニアモータからなる前記脚用駆動部２３及び前記背用駆動部２４が作動すると、前記駆動レバー２８の自由端となった先端部が前記各駆動部２３，２４のリニア駆動される各可動部材２３ａ，２４ａによって押圧される。それによって、前記脚用駆動軸２５及び前記背用駆動軸２６が所定方向に回転駆動されるようになっている。
【００３３】
図１と図２に示すように、前記脚用駆動軸２５の両端部にはそれぞれ脚上げ用アーム２９の一端が固着されている。前記脚上げアーム２９の他端にはローラ３０が設けられている。
【００３４】
前記脚用駆動軸２５が前記脚用駆動部２３によって駆動されて前記脚上げアーム２９の他端が上昇方向に回動されると、前記ローラ３０は前記第１の脚床部１３の下面の幅方向両端部に、その幅方向と交差する方向に沿って設けられた脚用ガイドレール３１を上昇方向に押圧しながら転動する。
【００３５】
それによって、前記第１の脚床部１３は、図１に示すように前記脚上げ用アーム２９の上昇角度に応じて一端を支点として他端が上昇する方向に回動する。
【００３６】
前記第１の脚床部１３が上昇方向に回動すると、この第１の脚床部１３に一端が連結された前記第２の脚床部１４の一端側が連動して上昇する。図２に示すように、前記第２の脚床部１４の他端には保持リンク３２の一端が枢着されている。この保持リンク３２の他端は前記ベッドフレーム１の前記縦杆２の内面に枢着されている。
【００３７】
それによって、前記第１の脚床部１３の回動に連動して一端部が上昇した前記第２の脚床部１４は、他端部が前記保持リンク３２に支えられることで、図１に示すように前記第１の脚床部１３とへの字状をなして上昇した状態で保持される。
【００３８】
図１乃至図３に示すように、前記背用駆動軸２６の両端部にはそれぞれ背上げアーム３３の一端（基端部）が固着されている。前記背上げアーム３３の、前記背床部１７の下面側に位置する他端部（先端部）には所定間隔で係合部材としての一対の背上げローラ３４が回転可能に設けられている。  
【００３９】
なお、図４（ａ）に示すように、一対の前記背上げアーム３３の中途部間には、一対の前記背上げアーム３３の前記背用駆動軸２６に対する取付け強度を補強する補強桟３６が架設されている。
【００４０】
図１乃至図３に示すように、前記背床部１７の下面側の幅方向の両端部には、一対の前記背上げローラ３４がそれぞれ転動可能に係合するガイド部としての断面コ字状の一対のガイドレール３５が前記幅方向と交差する長手方向、つまり前記背床部１７が駆動されて起上したときには上下方向となる、前記長手方向に沿って取り付けられている。
【００４１】
それによって、前記駆動レバー２８の自由端が前記背用駆動部２４の前記可動部材２４ａによって直線方向に押圧されて回動駆動されると、その回動に前記背用駆動軸２６が連動する。
【００４２】
つまり、前記背用駆動軸２６は図３に矢印Ｘで示す時計方向に回転駆動される。それによって、前記背上げアーム３３は、前記駆動レバー２８の回転に連動して前記背用駆動軸２６を中心として先端部側が上昇する方向に回動する。
【００４３】
前記背上げアーム３３が上昇方向に回動すると、前記背床部１７は前記ガイドレール３５に係合した前記背上げローラ３４によって、前記腰床部１６とともに前記固定床部１２に連結された一端を支点として起上方向に上昇する。このとき、図３に示すように前記背床部１７は前記腰床部１６に対して屈曲する。
【００４４】
前記背上げアーム３３の回転中心、つまり前記背用駆動軸２６の回転中心点をＡ、前記背床部１７とともに回動する前記腰床部１６の、前記固定床部１２に連結された一端の回転中心点をＢとすると、前記Ａ点と前記Ｂ点は前記ベッドフレーム１の前後方向及び上下方向に対して異なる位置に設定されている。
【００４５】
具体的には、回転駆動される前記背上げアーム３３の回転中心の前記Ａ点を基準にすると、前記Ｂ点は前記Ａ点よりも水平方向に対して前記床板体１１の後方である、前記固定床部１２側に位置し、上下方向に対しては上方に位置している。
【００４６】
それによって、前記背上げアーム３３が矢印Ｘで示す方向に回転する前記背用駆動軸２６によって前記背床部１７が上昇方向に駆動されるとき、前記背上げアーム３３は前記背床部１７に設けられた前記ガイドレール３５に対して図３に矢印Ｄで示す下方向に移動する。
【００４７】
つまり、前記Ａ点と前記Ｂ点との位置を違えて前記背上げアーム３３と前記背床部１７を回転させるようにしたことで、前記背上げアーム３３によって前記背床部１７が図３にＰ１で示す推定に倒伏した状態から、Ｐ２、Ｐ３に示すように起上方向に駆動されると、前記背上げアーム３３が前記背床部１７の下面に設けられた前記ガイドレール３５に対して図３に矢印Ｄで示す方向に移動する。
【００４８】
図３と図４に示すように、一対の前記背上げアーム３３の先端部にはそれぞれ作動部材３８が取付けられている。この作動部材３８は、所定の長さ寸法を有する板材の両端部に取付け部３９が折曲形成され、一対の前記取付け部３９間に、図４（ｂ）に示す山形状のカム部４１が形成されている。
【００４９】
前記作動部材３８は、図３と図４（ｂ）に示すように前記カム部４１が前記背床部１７の下方に向くよう、一対の前記取付け部３９を前記背上げアーム３３先端部に固定して設けられている。
【００５０】
それによって、背上げ時に前記背上げアーム３３が前記ガイドレール３５に対して図３に矢印Ｄで示す下方向に移動すると、前記作動部材３８も前記背上げアーム３３と一体的に矢印Ｄ方向に移動することになる。
【００５１】
図５に示すように、前記背床部１７の先端側（上端側）の中央部分にはヘッドアップ部４３が設けられている。つまり、前記背床部１７の先端には前記背床部１７の上端部を切り欠いた切欠き部１７ａが形成されている。前記ヘッドアップ部４３は前記切欠き部１７ａに先端部を臨ませて前記背床部１７に以下に説明するよう設けられる。
【００５２】
前記ヘッドアップ部４３は、図５乃至図７に示すように管状のヘッドアップ部材４４を有する。このヘッドアップ部材４４の両端部には、一対の取付けレバー４５の一端が固着されている。
【００５３】
前記取付けレバー４５の中途部には段部４６が形成され、他端部には基軸４７の一端部と他端部とが貫通して固定されている。前記基軸４７の一端部と他端部にはそれぞれ可動軸４８の一端が折り屈曲可能に枢着されている。
【００５４】
前記可動軸４８の他端部には滑沢性の樹脂などによって形成されたローラ状の伝動部材４９が設けられている。さらに、前記可動軸４８には、カラー５０が図５に矢印で示すように前記基軸４７の端部方向に向かってスライド可能に装着されている。
【００５５】
図５に示す状態から、前記カラー５０を矢印方向、つまり前記可動軸４８側にスライドさせることで、図７（ａ）に示すように前記可動軸４８は前記基軸４７に対して屈曲させることができる。この状態を非作動位置とする。
【００５６】
図７（ａ）の状態から図６（ａ）に示すように、前記可動軸４８を前記基軸４７に対して一直線になるよう回動させ、同図に矢印で示すように前記カラー５０を前記可動軸４８側から前記基軸４７側にスライドさせる。
【００５７】
それによって、前記カラー５０が前記基軸４７の端部と前記可動軸４８との両者にまたがった状態で、前記基軸４７に弾性的に位置決め保持されるから、前記取付け軸４８は図６（ａ）に示すように前記基軸４７にと一直線となった状態で屈曲不能に保持される。この状態を作動位置とする。
【００５８】
図６（ｂ）と図７（ｂ）に示すように、前記取付けレバー４５の中途部には第１の取付け孔５１と第２の取付け孔５２が穿設されている。図５（ａ）に示すように、前記第１の取付け孔５１には支軸５３の一端部と他端部と回転可能に挿通されている。
【００５９】
図５（ａ）、（ｂ）に示すように、前記背床部１７の先端部には幅方向全長にわたって角パイプからなる横杆５４が架設されている。この横杆５４の中途部には、所定間隔でＬ字状の一対の取付け片５５が一辺を固着して設けられている。一対の前記取付け片５５の他辺には前記支軸５３の両端が回動可能に支持されている。
【００６０】
前記支軸５３の両端部には付勢手段としての捩りばね５７の巻回部５７ａが装着されている。図８に示すように、前記捩りばね５７の一方の直線部５７ｂは前記横杆５４に形成された支持孔５４ａに係合保持されている。
【００６１】
前記取付けレバー４５の中途部の前記第２の取付け孔５２には係止軸５８が取付けられ、捩りばね５７の他方の直線部５７ｃは前記係止軸５８の径方向に沿って形成された支持孔５８ａに挿入支持されている。
【００６２】
それによって、前記ヘッドアップ部４３は、図５に示すように前記ヘッドアップ部材４４が前記背床部１７の切欠き部１７ａに位置する状態で、前記捩りばね５７によって弾性的に保持されている。
【００６３】
このとき、前記取付けレバー４５の中途部に形成された前記段部４６が前記横杆５４の下面に係合している。それによって、前記ヘッドアップ部４３の前記ヘッドアップ部材４４に、前記背床部１７の上面側から図５（ｂ）に矢印Ｗで示す荷重が加わっても、前記ヘッドアップ部材４４は前記支軸５３を支点として前記背床部１７の下面側に回動するのが阻止される。
【００６４】
前記ヘッドアップ部材４４に前記背床部１７の下面側から荷重が加わると、前記ヘッドアップ部４３の先端部側、つまり前記ヘッドアップ部材４４が前記ねじりばね５７を弾性変形させながら、前記支軸５３を支点として前記背床部１７の上面側に回動する。
【００６５】
前記ヘッドアップ部４３の一対の前記伝動部材４９が図５と図６（ａ）に示すように作動位置にあるとき、図３に示すようにこれらの外周面は一対の前記背上げアーム３３の先端部に設けられた一対の前記作動部材３８の前記カム部４１のカム面４１ａ（図４（ｂ）に示す）に対向位置するようになっている。
【００６６】
前記背床部１７が図３にＰ１で示す倒伏した状態から、Ｐ２、Ｐ３で示すように起上方向に駆動されることで、前記背上げアーム３３とともに前記作動部材３８が前記背床部１７に設けられた前記ガイドレール３５に対して図３に矢印Ｄで示す下方向に移動すると、前記カム面４１ａの形状に応じて前記ヘッドアップ部４３の前記伝動部材４９が押圧される。
【００６７】
それによって、前記ヘッドアップ部４３の前記取付けレバー４５が前記支軸５３を中心にして回動し、前記取付けレバー４５の一端部側に設けられた前記ヘッドアップ部材４４が前記背床部１７の上面側に突出する。この状態を図３に示す。
【００６８】
前記ヘッドアップ部材４４が前記背床部１７の上面側に突出する高さは、前記作動部材３８の前記カム部４１の前記カム面４１ａの形状によって設定できる。この実施の形態では、図３にＰ１で示すように、前記背床部１７の起上角度が０度で、前記背床部１７が水平に倒伏しているとき、前記ヘッドアップ部材４４は上昇方向に駆動されず、前記背床部１７と同一面をなしている。
【００６９】
図３にＰ２で示すように、前記背床部１７を水平な状態から３０度の角度で起上したとき、前記ヘッドアップ部材４４は前記カム面４１ａの形状による最大角度となる、前記背床部１７の上面に対して４５度（図１にθ１で示す。）で傾斜するよう設定されている。この角度を図３にαで示す。
【００７０】
図３にＰ３で示すように、前記背床部１７を最大角度である、８０度（図１にθ２で示す。）に起上させると、前記ヘッドアップ部４３は前記背床部１７の上面に対して図３にβで示す１５度の角度で傾斜するよう前記カム面４１ａの形状が設定されている。
【００７１】
このように、前記ヘッドアップ部４３の前記背床部１７の上面に対する起状角度は、前記背床部１７の起状角度に応じて変えることができる。そのため、前記背床部１７の起状角度に応じて前記床板体１１上に仰臥した利用者の頭部を、前記ヘッドアップ部４３によって図１に示すマットレスＭを介して良好な状態で前方へ傾けることができる。
【００７２】
つまり、前記背床部１７を水平に倒伏した状態から３０度に起上させると、前記ヘッドアップ部材４４をαで示す４５度の最大角度で起立させることができ、前記背床部１５を３０度以上に起状させるにつれて前記ヘッドアップ部材４４の起立角度を小さくできる、つまり利用者の頭部を前方へ押す角度を小さくすることができるようにしている。
【００７３】
それによって、前記背床部１７の起上角度に伴う、利用者の上半身の起上角度に応じて、前記ヘッドアップ部材４４による利用者の頭部の支持角度を変えることができるようになっている。
【００７４】
図３にＰ３で示すように、前記背床部１７を８０度の傾斜角度に起上させたとき、前記ヘッドアップ部４３が前記背床部１７の上面に対して１５度で傾斜させられることで、利用者は上半身及び頭部が食事を取り易い角度で保持されることになる。
【００７５】
上述した構成のベッド装置によれば、前記ヘッドアップ部４３の起上角度は、前記作動部材３８の前記カム部４１の前記カム面４１ａの形状によって前記背床部１７の起上角度に応じて設定することができる。
【００７６】
すなわち、この実施の形態では、前記背床部１７の起上角度が図３にＰ１で示す０度のときには前記ヘッドアップ部４３の起上角度が０度、Ｐ２で示す３０度のときには４５度、Ｐ３で示す８０度のときには１５度に設定することができる。
【００７７】
そのため、利用者は背床部１７の起上角度に応じて、頭部の角度を最適な角度となるよう前記ヘッドアップ部４３の前記ヘッドアップ部材４４によって前記マットレスＭを介して支持されることになる。
【００７８】
また、図３にＰ１で示すように前記床板体１１が水平に倒伏した状態にあるとき、前記カム部４１のカム面４１ａの形状によって利用者の頭部を持ち上げた状態となるよう、前記ヘッドアップ部４３の起上角度を設定することができる。それによって、前記ヘッドアップ部４３を枕の代わりに利用することもできる。
【００７９】
図６（ａ）に示すように、前記ヘッドアップ部４３は一対の前記伝動部材４９が前記基軸４７に対して一直線に保持された状態、つまり前記カラー５０によって作動位置に保持されているときには前記背床部１７を起伏駆動することで、前記作動部材３８によって駆動される。
【００８０】
一方、図７（ａ）に示すように、前記カラー５０をスライドさせて前記伝動部材４９を作動位置から非作動位置にすれば、前記背床部１７を起状駆動しても、前記ヘッドアップ部４３は駆動されず、前記捻りコイルばね７の付勢力によって水平に保持されている。
【００８１】
そのため、前記ヘッドアップ部４３によるヘッドアップ機能は必要に応じて使用することができるから、便利である。
【００８２】
しかも、前記伝動部材４９が非作動位置の状態で、前記背床部１７を所定の角度まで起上させた後、前記伝動部材４９を前記カラー５０によって作動位置に保持するとともに、前記ヘッドアップ部４３を前記捩りばね７の付勢力に抗して上昇方向に回動させて、前記伝動部材４９を前記カム部４１のカム面４１ａに当接させれば、前記ヘッドアップ部４３を前記背床部１７の起立角度に応じて傾斜させて保持することができる。
【００８３】
このように、上述した構成のベッド装置は、前記背床部１７を起伏駆動する前記背上げアーム３３に、前記カム部４１を有する前記作動部材３８を設けるようにしている。
【００８４】
それによって、前記背上げアーム３３を駆動して前記背床部１７を起上方向に駆動する際、前記ヘッドアップ部４３の一方の端部に設けられて作動位置に保持された前記伝動部材４９を、前記カム部４１の前記カム面４１ａによって押圧することで、前記ヘッドアップ部４３を回動させ、前記ヘッドアップ部４３の他方の端部に設けられた前記ヘッドアップ部材４４を、前記背床部１７の前面側に突出させるようにしている。
【００８５】
そのため、前記背上げアーム３３に前記カム部４１を有する前記作動部材３８を設けるという簡単な構成で、前記背床部１７の起上に応じて前記ヘッドアップ部４３を作動させることができる。
【００８６】
つまり、従来のように複雑な構成のリンク機構を用いずに、ヘッドアップ機能を備えることができるから、構成の簡略化による部品点数の減少や組み立て作業の容易化による生産性の向上などを図ることができる。
【００８７】
しかも、前記背上げアーム３３を駆動する前記背用駆動軸２６の回動中心Ａに対し、前記背床部１７の回転中心となる、前記背床部１７に枢着された前記腰床部１６の回転中心Ｂを、前後方向及び上下方向に対して位置をずらしている。
【００８８】
それによって、前記背床部１７を起上方向に駆動すれば、前記背上げアーム３３の先端に設けられた前記作動部材３８が前記背床部１７の下面に設けられたガイドレール３５に沿って移動するから、前記ヘッドアップ部４３の前記伝動部材４９が前記作動部材３８の前記カム部４１の前記カム面４１ａによって押圧され、前記ヘッドアップ部４３を傾動させることができる。
【００８９】
そのため、前記ヘッドアップ部４３を前記背床部１７の起上に伴って傾動させるために、従来のように複雑なリンク機構を必要としないから、そのことによっても構成の簡略化や部品点数の減少などを図ることができる。
【００９０】
前記伝動部材４９が図６（ａ）に示す作動位置に位置決めされた状態にあるとき、前記背床部１７を起伏駆動すると、前記作動部材３８の前記カム部４１は前記伝動部材４９に圧接する。  
【００９１】
前記カム部４１が前記伝動部材４９に圧接すると、一端に前記伝動部材４９が設けられ、他端に前記ヘッドアップ部材４４が設けられて中途部が前記背床部１７に枢支された前記取付けレバー４５が中途部を支点として回動する。
【００９２】
それによって、前記ヘッドアップ部４３の前記ヘッドアップ部材４４が前記背床部１７の前面側に突出して利用者の頭部を、前記マットレスＭを介して前方へ押圧する。
【００９３】
前記伝動部材４９は、前記ヘッドアップ部４３に設けられた前記基軸４７の両端部に折り畳み可能となっているから、背上げ時に前記カム部４１に当たる作動位置と、前記カム部４１に当たることのない非作動位置とのいずれかに位置決めすることができる。
【００９４】
そのため、前記背床部１７を起伏駆動する際、前記伝動部材４９を前記作動位置或いは前記非作動位置のいずれかに位置決めすることで、前記ヘッドアップ部材４４を前記カム部４１によって作動させるか否かを選択できる。
【００９５】
つまり、利用者が必要とするか否かによって、背上げ時に利用者の頭部を前記ヘッドアップ部４３によって押圧して持ち上げるか否かを選択することができるから、便利である。
【００９６】
前記ヘッドアップ部４３の前記取付けレバー４５は、前記背床部１７の幅方向に架設された前記横杆５４に、中途部が回転可能に支持されている。前記取付けレバー４５は、付勢手段である、捩りばね５７によって回転方向に弾性的に付勢されている。
【００９７】
前記取付けレバー４５の中途部には、前記横杆５４の下面に係合する前記段部４６が形成され、前記ヘッドアップ部４３の先端部側が前記捩りばね５７の付勢力によって下方向に回転するのが阻止されている。
【００９８】
つまり、前記背床部１７と同一平面をなすよう倒伏した状態にある前記ヘッドアップ部４３は、前記捩りばね５７による付勢力及び前記段部４６と前記横杆５４の係合によって回転方向に対してガタ付くことなく弾性的に保持されている。
【００９９】
そのため、前記伝動部材４９を非作動位置にして前記背床部１７を起伏駆動しても、前記ヘッドアップ部４３は前記背床部１７に対して同一平面をなした状態で、回転方向にガタ付くことなく使用することができる。
【０１００】
上述した一実施の形態では、前記背上げアームに係合部材として前記背上げローラを回転可能に設けるようにしたが、前記係合部材としては、前記背上げローラに代わり、前記背床部を起伏駆動したときに、ガイド部としての前記ガイドレールに沿って移動する滑動部材であってもよい。つまり、前記係合部材は前記背上げローラに限定されるものではない。
【０１０１】
前記ガイド部として断面コ字状の前記ガイドレールを用いるようにしたが、前記ガイド部は前記床板部の起伏駆動によって前記係合部材が移動できる構造のもの、たとえば前記ガイド部を逆Ｔ字状の断面形状とし、前記係合部材を前記ガイド部に挿入される逆Ｔ字状の溝を有する形状としてもよく、要は前記係合部材が前記床板部の起伏駆動に応じて前記ガイド部に沿って移動できる構造であればよい。
【０１０２】
前記背床部の一端部を、前記腰床部を介して前記ベッドフレームに回動可能に取付ける構造を例に挙げて説明したが、前記背床部の一端部を前記ベッドフレームに直接、回動可能に取付ける構造であってもよい。
【０１０３】
要は、前記背床部を起上方向に駆動したときに、前記背上げアームの先端部に設けられた前記作動部材が起上する前記背床部の先端方向へ移動するよう、前記背上げアームと前記背床部の回動する位置が設定されていればよい。
【０１０４】
前記背床部を起伏駆動する駆動手段としてリニアモータからなる前記背用駆動部を用いたが、リニアモータ以外の駆動部、たとえばモータの回転運動を直線運動に代えて前記背床部を起伏駆動する駆動部であってもよい。
【符号の説明】
【０１０５】
１…ベッドフレーム、１１…床板体、１２…固定床部、１３…第１の脚床部、１４…第２の脚床部、１６…腰床部、１７…背床部、２１…駆動装置、２３…脚用駆動部、２４…背用駆動部（駆動手段）、２５…脚用駆動軸、２６…背用駆動軸、３３…背上げアーム、３４…背上げローラ（係合部材）、３５…ガイドレール（ガイド部）、３８…作動部材、４１…カム部、４３…ヘッドアップ部、４４…ヘッドアップ部材、４９…伝動部材、５０…カラー。
【図１】
2020141792.tif 000003
【図２】
2020141792.tif 000004
【図３】
2020141792.tif 000005
【図４】
2020141792.tif 000006
【図５】
2020141792.tif 000007
【図６】
2020141792.tif 000008
【図７】
2020141792.tif 000009
【図８】
2020141792.tif 000010